(57)【要約】      （修正有）【課題】移動する乗物の内部に位置する遠隔受信機による、移動する乗物の外部に位置する通信装置によって放出される信号の受信における干渉を回避する。【解決手段】移動する乗物内に位置するエリアにおいて信号を放出する通信装置を備え、移動する乗物が移動している、無線通信システムであって、移動する乗物の行き先エリアを表す情報を取得する手段であって、行き先エリアでは、移動する乗物内に位置するエリアにおいて通信装置によって放出される信号が受信されない、行き先エリアを表す情報を取得する手段と、移動する乗物内に位置するエリアにおいて通信装置によって放出される信号を取得する手段と、移動する乗物が行き先エリアに到着する前に、移動する乗物の行き先エリアにおいて、取得された信号を放出する手段とを具備する。【選択図】図１
2008252873.tif 000002
【特許請求の範囲】
【請求項１】
移動する乗物内に位置するエリアにおいて信号を放出する通信装置を備え、前記移動する乗物が移動している、無線通信システムであって、
前記移動する乗物の行き先エリアを表す情報を取得する手段であって、前記行き先エリアでは、前記移動する乗物内に位置する前記エリアにおいて前記通信装置によって放出される前記信号が受信されない、行き先エリアを表す情報を取得する手段と、
前記移動する乗物内に位置する前記エリアにおいて前記通信装置によって放出される前記信号を取得する手段と、
前記移動する乗物が前記行き先エリアに到着する前に、該移動する乗物の該行き先エリアにおいて、前記取得された信号を放出する手段と
を具備することを特徴とする、無線通信システム。
【請求項２】
前記無線通信システムは無線セルラ通信システムであり、
前記通信装置は基地局であり、
前記移動する乗物内に位置する前記エリアは前記基地局のセルである
ことを特徴とする、請求項１に記載の無線通信システム。
【請求項３】
前記移動する乗物が前記行き先エリアに到着すると、該移動する乗物の該行き先エリアにおいて、前記取得された信号の前記放出を中断する手段を具備することを特徴とする、請求項２に記載の無線セルラ通信システム。
【請求項４】
第１の移動端末が前記基地局の前記セル内に含まれ、
第２の移動端末が前記行き先エリアに含まれ、
前記無線セルラ通信システムが、
前記第１の移動端末によって放出される前記信号を取得する手段と、
前記第２の移動端末によって放出される前記信号を取得する手段と、
前記第１の移動端末及び前記第２の移動端末によって放出される前記信号を結合する手段と、
前記結合された信号を前記基地局に転送する手段と
を具備することを特徴とする、請求項２又は３に記載の無線セルラ通信システム。
【請求項５】
前記移動する乗物が前記行き先エリアに到着する前に、該移動する乗物の該行き先エリアにおいて、前記第１の移動端末によって放出され前記取得された信号を放出する手段を具備することを特徴とする、請求項２〜４のいずれか１項に記載の無線セルラ通信システム。
【請求項６】
前記移動する乗物が前記行き先エリアに到着すると、該移動する乗物の該行き先エリアにおける、前記第１の移動端末によって放出され前記取得された信号の前記放出を中断する手段を具備することを特徴とする、請求項５に記載の無線セルラ通信システム。
【請求項７】
前記行き先エリアにおいて別の基地局が信号を放出しており、
前記無線セルラ通信システムが、
前記行き先エリアにおいて前記他の基地局によって放出される前記信号を取得する手段と、
前記移動する乗物が前記行き先エリアに到着する前に、該移動する乗物内に位置する前記セルにおいて、前記取得された信号を放出する手段と
を具備することを特徴とする、請求項２〜６のいずれか１項に記載の無線セルラ通信システム。
【請求項８】
前記移動する乗物が前記行き先エリアに到着すると、該移動する乗物内に位置する前記セルにおいて、前記取得された信号の前記放出を中断する手段を具備する、ことを特徴とする、請求項７に記載の無線セルラ通信システム。
【請求項９】
前記移動する乗物は、建物の複数の目的階に移動する可能性があるエレベータキャビンであり、
前記無線セルラ通信システムが、
前記建物の複数の階において前記取得された信号を放出する手段
を具備することを特徴とする、請求項２に記載の無線セルラ通信システム。
【請求項１０】
第１の移動端末が前記セル内に含まれ、
第２の移動端末が前記目的階に含まれ、
第３の移動端末が前記目的階とは異なる別の階に含まれ、
前記無線セルラ通信システムが、
前記第１の移動端末によって放出される前記信号を取得する手段と、
前記第２の移動端末及び前記第３の移動端末によって放出される前記信号を取得する手段と、
前記第１の移動端末、前記第２の移動端末、及び前記第３の移動端末によって放出される前記信号を結合する手段と、
前記結合された信号を前記基地局に転送する手段と
を具備することを特徴とする、請求項９に記載の無線セルラ通信システム。
【請求項１１】
前記目的階及び前記他の階において、前記第１の移動端末によって放出され前記取得された信号を放出する手段を具備することを特徴とする、請求項１０に記載の無線セルラ通信システム。
【請求項１２】
少なくとも２つの他の基地局は、前記目的階及び別の階においてそれぞれ信号を放出しており、
前記無線セルラ通信システムが、
前記目的階及び前記別の階において前記他の基地局によって放出される前記信号を取得する手段と、
前記移動する乗物内に位置する前記セルにおいて、前記取得された信号を放出する手段と
を具備することを特徴とする、請求項１０に記載の無線セルラ通信システム。
【請求項１３】
移動する乗物内に位置するエリアにおいて通信装置によって放出される信号を放出する方法において、該通信装置が無線通信システムに属しており、前記移動する乗物が移動している、通信装置によって放出される信号を放出する方法であって、
前記移動する乗物の行き先エリアを表す情報を取得するステップであって、該行き先エリアでは、前記移動する乗物内に位置する前記エリアにおいて前記通信装置によって放出される前記信号は受信されない、行き先エリアを表す情報を取得するステップと、
前記移動する乗物内に位置する前記エリアにおいて前記通信装置によって放出される前記信号を取得するステップと、
前記移動する乗物が前記行き先エリアに到着する前に、該移動する乗物の該行き先エリアにおいて、前記取得された信号を放出するステップと
を含むことを特徴とする、通信装置によって放出される信号を放出する方法。
【請求項１４】
前記無線通信システムは無線セルラ通信システムであり、
前記通信装置は基地局であり、
前記移動する乗物内に位置する前記エリアは前記基地局のセルである
ことを特徴とする、請求項１３に記載の方法。
【請求項１５】
前記移動する乗物が前記行き先エリアに到着すると、該移動する乗物の該行き先エリアにおける、前記取得された信号の前記放出を中止するステップをさらに具備することを特徴とする、請求項１４に記載の方法。
【請求項１６】
プログラマブルデバイスに直接ロード可能なコンピュータプログラムであって、前記プログラマブルデバイスによって実行される時、請求項１３〜１５のいずれか１項に記載の方法のステップを実施する命令又はコードの一部を含む、コンピュータプログラム。
【発明の詳細な説明】
【技術分野】
【０００１】
本発明は、移動する乗物内に位置するエリアにおいて通信装置によって放出される信号を、移動する乗物の行き先エリアにおいて放出する方法及びシステムに関する。
【背景技術】
【０００２】
無線通信システムは、世界中に広く普及している。それらは、たとえ遠隔受信機又は通信装置が移動している乗物内にある場合であっても、遠隔受信機が移動する乗物の移動中にいつでも信号を受信することができ、且つ同じ無線資源に他の信号を放出している別の通信装置によって干渉されない限り、遠隔受信機が通信装置によって放出される信号、例えば放送番組を受信する可能性を提供する。
【０００３】
通信装置が移動する乗物内に位置している時、通信装置から移動する乗物の外部に位置する遠隔受信機へと放出される電磁波形の伝播は、移動する乗物の動きと共に変化する。その結果、遠隔受信機によって受信される別の通信装置からの信号の受信は、移動する乗物が遠隔受信機に近づく時、移動する乗物内に位置する通信装置によって放出される電磁波形の伝播が突然上昇(raise)することにより急に干渉を受ける。
【０００４】
同様に、移動する乗物の外部に位置する遠隔受信機によって受信される、移動する乗物の内部に位置する通信装置からの信号の受信は、移動する乗物が遠隔受信機から離れる時、通信装置によって放出される電磁波形の伝播が突然喪失(loss)することにより、急に干渉を受ける。
【０００５】
移動する乗物の内部と外部との間の電磁波形の伝播のかかる急激な変化は、移動する乗物がその内部と外部との間の電磁波形の伝播を減衰させる場合、さらにより重要である。さらに、移動する乗物のドアの開閉により、移動する乗物によって生じる減衰が急激に変化する。
【０００６】
従来の無線通信システムの遠隔受信機及び／又は通信装置は、かかる干渉の急激な変化に対応するように設計されていない。
【０００７】
無線セルラ通信システムのような無線通信システムは、移動端末の顧客に対して、顧客が移動している場合であっても、無線セルラ通信システムの基地局間のハンドオーバ手順により、遠隔通信装置との通信を継続する可能性を提供する。ハンドオーバ中、顧客の移動端末は、異なる無線インタフェースにより、連続する(successive)基地局と通信する。この場合、基地局及び移動端末は、通信装置及び遠隔受信機として機能する。
【０００８】
幾つかの場合、特に移動端末が電磁波形の伝播を減衰させる移動する乗物内に位置している場合には、通信は、受信される電磁信号の喪失により、又は無線セルラ通信システムの基地局間のハンドオーバの失敗により、突然中断される。
【０００９】
エレベータキャビンのような移動する乗物は、電磁波形の伝播を減衰させる。大部分のエレベータキャビンは鋼鉄で建造されているか、又はコンクリート製のエレベータシャフトに囲まれており、そのためファラデーケージ(Faraday cage)を形成する。無線波形は、エレベータシャフト外からエレベータキャビン内にまったく侵入することができず、エレベータキャビン内からエレベータシャフト外へまったく出ることができない。若しくは、侵入又は出ることができる無線波形は非常に減衰した波形である。エレベータキャビンのドアが閉じている時には、キャビン内部に位置する移動端末は、エレベータキャビン外部からもはやいかなる信号も受信することができず、移動端末の通信が低下(drop)する。
【００１０】
他の幾つかの場合、特に移動端末が電磁波形の伝播を減衰させる電車又は地下鉄のような移動する乗物内に位置する場合、通信はまた、受信される電磁信号の喪失により、又は無線セルラ通信システムの基地局間のハンドオーバの失敗により、突然中断される。
【００１１】
移動する乗物が行き先エリアに到着すると、移動する乗物内に位置する移動端末によって受信され且つ／又は放出される信号は、そのエリアに位置する移動端末及び／又は基地局を妨害する。これは、特に、１つの階においてエレベータキャビンのドアが開く場合である。移動する乗物内に位置する移動端末によって受信され且つ／又は放出される信号は、行き先エリアに位置する基地局及び／又は移動端末によって転送される信号に急に干渉する。同様に、行き先エリアに位置する基地局及び／又は移動端末によって転送される信号は、移動する乗物内に位置している移動端末によって受信され且つ／又は放出される信号に急に干渉する。
【００１２】
従来の無線セルラ通信システムの移動端末及び／又は基地局は、かかる干渉の急激な変化に対応するように設計されていない。
【００１３】
エレベータに関して開示したものと同様の問題が、電車及び地下鉄にも発生する。
【発明の開示】
【発明が解決しようとする課題】
【００１４】
したがって、本発明の目的は、移動する乗物の内部に位置する遠隔受信機による、移動する乗物の外部に位置する通信装置によって放出される信号の受信におけるいかなる干渉も回避し、移動する乗物の外部に位置する遠隔受信機による、移動する乗物の内部に位置する通信装置によって放出される信号の受信におけるいかなる干渉も回避し、且つ無線セルラ通信ネットワークの基地局又は移動端末のような、遠隔受信機及び／又は通信装置に対する干渉状態の急激な変化を回避することを可能にする方法及びシステムを提供することである。
【課題を解決するための手段】
【００１５】
この目的のために、本発明は、移動する乗物内に位置するエリアにおいて信号を放出する通信装置を備え、移動する乗物が移動している、無線通信システムであって、
移動する乗物の行き先エリアを表す情報を取得する手段であって、行き先エリアでは、移動する乗物内に位置するエリアにおいて通信装置によって放出される信号が受信されない、行き先エリアを表す情報を取得する手段と、
移動する乗物内に位置するエリアにおいて通信装置によって放出される信号を取得する手段と、
移動する乗物が行き先エリアに到着する前に、移動する乗物の行き先エリアにおいて、取得された信号を放出する手段と
を具備することを特徴とする、無線通信システムに関する。
【００１６】
本発明はまた、移動する乗物内に位置するエリアにおいて通信装置によって放出される信号を放出する方法において、通信装置が無線通信システムに属しており、移動する乗物が移動している、通信装置によって放出される信号を放出する方法であって、
移動する乗物の行き先エリアを表す情報を取得するステップであって、行き先エリアでは、移動する乗物内に位置するエリアにおいて通信装置によって放出される信号は受信されない、行き先エリアを表す情報を取得するステップと、
移動する乗物内に位置するエリアにおいて通信装置によって放出される信号を取得するステップと、
移動する乗物が行き先エリアに到着する前に、移動する乗物の行き先エリアにおいて、取得された信号を放出するステップと
を含むことを特徴とする、通信装置によって放出される信号を放出する方法に関する。
【００１７】
このため、移動する乗物が行き先エリアに到着した時、移動する乗物内に位置するエリアにおいて通信装置によって放出される信号は、行き先エリアに位置する他の通信装置を急に妨害することはない。移動する乗物内に位置するエリアにおいて通信装置によって放出される信号が、行き先エリアにおいても放出される限り、干渉の急激な変化はない。
【００１８】
このため、行き先エリアに位置するいかなる遠隔受信機でも、移動する乗物の到着前に、移動する乗物内の通信装置によって放出される信号を受信することができ、通信装置が後に行き先エリアに存在することによってもたらされる結果への適当な対応を行うことができる。
【００１９】
たとえば、且つ非限定的に、遠隔受信機は、通信装置によって放出される信号との同期を開始することができ、又は通信装置によって放出される信号によって搬送されるデータの受信を開始することができ、又はハンドオーバを準備するために通信装置から受信される信号のレベルの測定を開始することができ、又は通信装置が位置している移動する乗物の行き先エリアへの到着によってもたらされる干渉の影響を最小限にするように、行き先エリアの無線資源の使用を調整することができる。
【００２０】
特定の特徴によれば、無線通信システムは無線セルラ通信システムであり、通信装置は基地局であり、移動する乗物内に位置するエリアは基地局のセルである。
【００２１】
このため、セルにおいて基地局によって放出される信号が行き先エリアにおいても放出されるため、行き先エリアに位置する移動端末は、基地局によって放出される信号を測定することができ、移動する乗物に含まれるセルにおいて信号を放出する基地局とのハンドオーバを実行することができる。基地局のセルとのハンドオーバ手順を確立する時間が短縮する。移動する乗物を出入りする移動端末の通信の品質が向上する。
【００２２】
特定の特徴によれば、無線セルラ通信システムは、移動する乗物が行き先エリアに到着すると、移動する乗物の行き先エリアにおける、取得された信号の放出を中断する手段を具備する。
【００２３】
このため、移動する乗物が行き先エリアに到着した時、移動する乗物内に位置するセルにおいて基地局によって放出される信号が、行き先エリアに位置する移動端末及び／又は基地局を急に妨害することはない。
【００２４】
特定の特徴によれば、第１の移動端末が基地局のセル内に含まれ、第２の移動端末が行き先エリアに含まれ、無線セルラ通信システムが、
第１の移動端末によって放出される信号を取得する手段と、
第２の移動端末によって放出される信号を取得する手段と、
第１の移動端末及び第２の移動端末によって放出される信号を結合する手段と、
結合された信号を基地局に転送する手段と
を具備する。
【００２５】
このため、基地局は、移動する乗物に含まれるセルに位置する移動端末によって放出される信号も、行き先エリアに位置する移動端末によって放出される信号も同様に復調することができる。移動する乗物が行き先エリアに到着した時、基地局は行き先エリアに位置する移動端末によって放出される信号をすでに受信しているため、これにより基地局に対して急激な干渉がもたらされることはない。
【００２６】
特定の特徴によれば、無線セルラ通信システムは、移動する乗物が行き先エリアに到着する前に、移動する乗物の行き先エリアにおいて、第１の移動端末によって放出され取得された信号を放出する手段を具備する。
【００２７】
このため、移動する乗物が行き先エリアに到着した時、既に行き先エリアに位置する移動端末は、行き先エリアに位置することになる移動端末によって放出される信号をすでに受信しているため、これにより既に行き先エリアに位置する移動端末に対して急激な干渉がもたらされることはない。
【００２８】
特定の特徴によれば、無線セルラ通信システムは、移動する乗物が行き先エリアに到着すると、移動する乗物の行き先エリアにおける、第１の移動端末によって放出され取得された信号の放出を中断する手段を具備する。
【００２９】
このため、移動する乗物が行き先エリアに到着した時、移動する乗物内に位置するセルにおいて第１の移動端末によって放出される信号が、行き先エリアに位置する第２の移動端末を急に妨害することはない。
【００３０】
さらに、移動する乗物が行き先エリアを離れた時、移動する乗物内に位置するセルにおいて第１の移動端末によって放出される信号が、行き先エリアに位置する第２の移動端末を急に妨害することはない。
【００３１】
特定の特徴によれば、行き先エリアにおいて別の基地局が信号を放出しており、無線セルラ通信システムが、
行き先エリアにおいて他の基地局によって放出される信号を取得する手段と、
移動する乗物が行き先エリアに到着する前に、移動する乗物内に位置するセルにおいて、取得された信号を放出する手段と
を具備する。
【００３２】
このため、移動する乗物が行き先エリアに到着した時、基地局は他の基地局によって放出される信号をすでに受信しているため、これにより基地局に対して急な干渉がもたらされることはない。
【００３３】
特定の特徴によれば、無線セルラ通信システムは、移動する乗物が行き先エリアに到着すると、移動する乗物内に位置するセルにおける、取得された信号の放出を中断する手段を具備する。
【００３４】
このため、移動する乗物が行き先エリアに到着した時、基地局が他の基地局によって放出される信号をすでに受信しているため、基地局に対して急な干渉がもたらされることはない。
【００３５】
特定の特徴によれば、移動する乗物は、建物の複数の目的階に移動する可能性があるエレベータキャビンであり、無線セルラ通信システムは、建物の複数の階において取得された信号を放出する手段を具備する。
【００３６】
このため、エレベータキャビンが１つの階に到着した時、エレベータキャビン内に位置するセルにおいて基地局によって放出される信号は、その階に位置する移動端末及び／又は基地局を急に妨害することはない。セルにおいて基地局によって放出される信号が複数の階においても放出される限り、干渉の急激な変化はない。
【００３７】
さらに、セルにおいて基地局によって放出される信号が上記階においても放出されるため、複数の階のうちの１つに位置する移動端末は、基地局によって放出される信号を測定することができ、エレベータキャビンに含まれるセルにおいて信号を放出する基地局とのハンドオーバが実行され得る。
【００３８】
特定の特徴によれば、第１の移動端末がセル内に含まれ、第２の移動端末が目的階に含まれ、第３の移動端末が目的階とは異なる別の階に含まれ、無線セルラ通信システムは、
第１の移動端末によって放出される信号を取得する手段と、
第２の移動端末及び第３の移動端末によって放出される信号を取得する手段と、
第１の移動端末、第２の移動端末、及び第３の移動端末によって放出される信号を結合する手段と、
結合された信号を基地局に転送する手段と
を具備する。
【００３９】
このため、基地局は、エレベータキャビンに含まれるセル内に位置する第１の移動端末によって放出される信号も、第２の移動端末及び第３の移動端末によって放出される信号も同様に復調することができる。エレベータキャビンがいかなる階に到着した時も、基地局は第２の移動端末及び第３の移動端末によって放出される信号をすでに受信しているため、これにより基地局に対して急激な干渉がもたらされることはない。
【００４０】
特定の特徴によれば、無線セルラ通信システムは、目的階及び他の階において、第１の移動端末によって放出され取得された信号を放出する手段を具備する。
【００４１】
このため、エレベータキャビンがいかなる階に到着した時も、第２の移動端末及び第３の移動端末は、第１の移動端末によって放出される信号をすでに受信しているため、これにより第２の移動端末及び第３の移動端末に対して急激な干渉がもたらされることはない。
【００４２】
特定の特徴によれば、少なくとも２つの他の基地局が、目的階及び別の階においてそれぞれ信号を放出しており、無線セルラ通信システムは、
目的階及び別の階において他の基地局によって放出される信号を取得する手段と、
移動する乗物内に位置するセルにおいて、取得された信号を放出する手段と
を具備する。
【００４３】
このため、エレベータキャビンが１つの階に到着した時、他の基地局によって放出される信号が、基地局を急に妨害することはない。他の基地局によって放出される信号がエレベータキャビン内に位置するセルにおいても放出される限り、干渉の急激な変化はない。
【００４４】
さらに、他の基地局によって放出される信号がエレベータキャビン内に位置するセルにおいても放出されるため、エレベータキャビン内のセルに位置する移動端末は、他の基地局によって放出される信号を測定することができ、他の基地局のうちの１つとのハンドオーバが実行され得る。
【００４５】
さらに別の態様によれば、本発明は、プログラマブルデバイスに直接ロード可能なコンピュータプログラムであって、プログラマブルデバイスによって実行される時、本発明による方法のステップを実施する命令又はコードの一部を含む、コンピュータプログラムに関する。
【００４６】
コンピュータプログラムに関する特徴及び利点は、本発明による方法及び装置に関する上述したものと同じであるため、ここでは繰り返さない。
【００４７】
本発明の特徴は、一例としての実施形態の以下の説明を読むことからより明確になるであろう。この説明は、添付図面を参照してなされている。
【発明を実施するための最良の形態】
【００４８】
図１は、本発明による、移動する乗物用の無線通信システムを備える建物の概観を表す図である。
【００４９】
本発明を、無線通信システムが、無線セルラ通信システムであり、移動する乗物が、建物内に位置し建物の１つの階から別の階まで移動するエレベータキャビンである一例を使用して開示する。本発明はまた、放送番組無線システム（broadcasting programs wireless system）又はセンサ識別ネットワーク（sensor identification network）システムのような他の無線通信システムにも適用可能である。本発明はまた、移動する乗物が、１つの駅から次の駅まで移動する電車又は地下鉄である場合にも適用可能である。
【００５０】
建物ＢＬＤは、エレベータキャビンＥＬＥＶがその中を移動するエレベータシャフト６０を備える。エレベータキャビンＥＬＥＶは、エレベータコントローラ２０によって制御されるエレベータエンジン１０によって、建物ＢＬＤの１つの階Ｆｌｋ（ｋ＝１〜Ｋ）から別の階Ｆｌｉ（ｉ＝１〜Ｋ且つｉ≠ｋ）まで移動する。ここで、Ｋは建物ＢＬＤの階の数である。
【００５１】
各階Ｆｌｋ（ｋ＝１〜Ｋ）は、エレベータコントローラ２０に接続される少なくとも１つの呼出しボタン（図１には示さず）を備える。
【００５２】
階Ｆｌｉ（ｋ＝１〜Ｎ）のうちの少なくとも１つは、少なくとも１つの基地局ＢＳｋを備える。例として且つ非限定的に、各階Ｆｌｋ（ｋ＝１〜Ｋ）が好ましくは少なくとも１つの基地局ＢＳｋを備える。各基地局ＢＳｋは、基地局ＢＳｋによって管理されるセル１５ｋに位置する移動端末３０が、図１には示さない遠隔の通信装置との間で通信を確立、又は受信、又は継続することを可能にする。
【００５３】
図１には、明確にするために３つの階Ｆｌ１、Ｆｌｋ及びＦｌＫを示す。基地局ＢＳ１はセル１５１を管理し、基地局ＢＳｋはセル１５ｋを管理し、基地局ＢＳＫはセル１５Ｋを管理する。
【００５４】
図１には、２つの移動端末３０ａ及び３０ｂしか示さないが、建物ＢＬＤにはより多くの数の移動端末３０が含まれることを理解されたい。移動端末３０ａは、キャビンエレベータＥＬＥＶ内に位置する。
【００５５】
エレベータキャビンＥＬＥＶは、少なくとも１つの目的階の選択を可能にするキーボードＫＢＤを備える。キーボードＫＢＤは、エレベータコントローラ２０に接続される。
【００５６】
キーボードＫＢＤ及び呼出しボタンから、エレベータコントローラ２０は、エレベータキャビンＥＬＥＶの目的階Ｆｌｋを確定する。
【００５７】
１つの基地局ＢＳＥは、エレベータキャビンＥＬＥＶ内に通常含まれるエリア１５ｅ’をカバーするセル１５ｅを管理する。エレベータキャビンのドアが、例えば階Ｆｌｋにおいて開いた時、セル１５ｅは階１５ｆの一部をカバーする。そのような追加のセルを、図１ではエリア１５ｅ’’によって表す。
【００５８】
各階Ｆｌｋ（ｋ＝１〜Ｋ）は、基地局中継器ＢＳＲＥＰｋ及び移動端末中継器ＭＴＲＥＰｋを備える。
【００５９】
キャビンエレベータＥＬＥＶは、基地局中継器ＢＳＲＥＰＣを備える。
【００６０】
各基地局中継器ＢＳＲＥＰｋ（ｋ＝１〜Ｋ）、各移動端末中継器ＭＴＲＥＰｋ、及び基地局中継器ＢＳＲＥＰＣは、結合・分配機器(combination and distribution equipment)ＣＤＥに接続される。
【００６１】
本発明によれば、基地局中継器ＢＳＲＥＰｋ及び移動端末中継器ＭＴＲＥＰｋは、追加のセル１５ｅ’’を再形成し、それにより、セル１５ｅ’及びエリア１５ｅ’’を含むセル１５ｅがキャビンエレベータＥＬＥＶ及び階Ｆｌｋの一部をカバーすることができるようにする。
【００６２】
基地局ＢＳＥは、基地局ＢＳＥによって管理されるセル１５ｅ’に位置する移動端末３０が、図１には示さない遠隔の通信装置との間で通信を確立、又は受信、又は、継続することを可能にする。
【００６３】
基地局ＢＳＥは、基地局ＢＳＥによって管理されるエリア１５ｅ’’に位置する移動端末３０が、図１には示さない遠隔の通信装置との間で通信を確立、又は受信、又は継続することを可能にする。
【００６４】
ここで、セル１５ｅ’及びエリア１５ｅ’’は、セル１５ｅを形成することに留意されたい。
【００６５】
基地局ＢＳＥは、建物ＢＬＤ内の、例えばエレベータコントローラ２０の近くか又はエレベータキャビンＥＬＥＶ内に位置する。
【００６６】
移動端末３０ａは、エレベータキャビンＥＬＥＶから出た時、基地局ＢＳｋによって管理されるセル１５ｋ内に入る場合がある。そして、移動端末３０ｂは、基地局ＢＳｋによって管理されるセル１５ｋ内又はエリア１５ｅ’’内に位置する。
【００６７】
各基地局中継器ＢＳＲＥＰｋは、セル１５ｋ内及び／又は１５ｅ’’内において、基地局ＢＳＥによってセル１５ｅ’内に位置する各移動端末３０に転送されるダウンリンク信号を転送する。各基地局中継器ＢＳＲＥＰｋは、セル１５ｋ内又はエリア１５ｅ’’内に位置する移動端末３０によって基地局ＢＳｋに転送されるアップリンク信号を受信し、結合・分配機器ＣＤＥに転送する。
【００６８】
各移動端末中継器ＭＴＲＥＰｋは、セル１５ｋ内及び／又は１５ｅ’’内において、セル１５ｅ’内に位置する移動端末３０によって基地局ＢＳＥに転送されるアップリンク信号を再送する。各移動端末中継器ＭＴＲＥＰｋは、基地局ＢＳｋによってセル１５ｋ内又はエリア１５ｅ’’内に位置する移動端末３０に転送されるダウンリンク信号を受信し、結合・分配機器ＣＤＥに転送する。
【００６９】
基地局中継器ＢＳＲＥＰＣは、セル１５ｅ’内に位置する移動端末３０によって基地局ＢＳＥに転送されるアップリンク信号を、結合・分配機器ＣＤＥに転送する。
【００７０】
基地局中継器ＢＳＲＥＰＣは、基地局ＢＳＥによってセル１５ｅ’に位置する移動端末３０に転送されるダウンリンク信号を、基地局ＢＳＥのセル１５ｅ’に位置する移動端末３０に転送する。このダウンリンク信号は、好ましくは、目的階のセル１５ｋの基地局ＢＳｋによって転送される他のダウンリンク信号と結合される、
【００７１】
基地局ＢＳｋ（ｋ＝１〜Ｋ）及び基地局ＢＳＥは、無線セルラ通信ネットワークの基地局である。
【００７２】
基地局ＢＳｋ（ｉ＝１〜Ｋ）及び基地局ＢＳＥは、図１には示さない通信ネットワークに接続されるアクセスゲートウェイ４０に接続されることが好ましい。
【００７３】
通信ネットワークは、例として且つ非限定的に、専用有線ネットワーク、公衆交換網のような公衆ネットワークの一部、ＩＰベースネットワーク、無線ネットワーク、非同期転送モードネットワーク、又は上述したネットワークの組合せである。
【００７４】
アクセスゲートウェイ４０は、モビリティ管理エンティティ（Mobility Management Entity）、サービングＧＰＲＳサポートノード、フォーリンエージェント、ビジターロケーションレジスタ（Visitor Location Register）、又はパブリックランドモビリティネットワーク（Public Land Mobility Network）サーバとも呼ばれる。
【００７５】
基地局ＢＳｋ（ｋ＝１〜Ｋ）及び基地局ＢＳＥは、ノード、ノードＢ、拡張ノードＢ、又はアクセスポイントとも呼ばれる。
【００７６】
移動端末３０は、携帯電話、携帯情報端末、又はパーソナルコンピュータのような端末である。
【００７７】
図２は、移動する乗物用の無線通信システムの種々の装置間の相互接続を示すブロック図である。
【００７８】
エレベータコントローラ２０は、専用配線システムを介して、呼出しボタン、キーボードＫＢＤ、エレベータエンジン１０に接続される。
【００７９】
エレベータコントローラ２０は、キーボードＫＢＤ及び呼出しボタンから、エレベータキャビンＥＬＥＶの目的階Ｆｌｋを確定し、エレベータキャビンＥＬＥＶを目的階Ｆｌｋまで移動させるために、確定された目的階に従ってエレベータエンジン１０に命令する。
【００８０】
また、エレベータコントローラ２０は、エレベータキャビンＥＬＥＶの動きが止まった時に、エレベータキャビンＥＬＥＶのドアを開くことを命令し、エレベータキャビンＥＬＥＶが動き始める前に、エレベータキャビンＥＬＥＶのドアを閉じることを命令する。
【００８１】
また、エレベータコントローラ２０は、結合・分配機器ＣＤＥにも接続される。本発明によれば、エレベータコントローラ２０は、結合・分配機器ＣＤＥに対して、エレベータキャビンＥＬＥＶの目的階Ｆｌｉを示すメッセージを転送する。一実施形態では、メッセージは、目的階Ｆｌの好ましくは順序付きのリストを含む。
【００８２】
また、エレベータコントローラ２０は、結合・分配機器ＣＤＥに対して、エレベータキャビンＥＬＥＶが移動しているか否か、及びエレベータのドアが開いているか及び／又は閉じているかを示すメッセージを転送する。
【００８３】
結合・分配機器ＣＤＥは、通信ネットワーク５０を介して、基地局中継器ＢＳＲＥＰ１〜ＢＳＲＥＰＫ及び移動端末中継器ＭＴＲＥＰ１〜ＭＴＲＥＰＫに接続される。ネットワーク５０は、例として且つ非限定的には、バス、又は光ファイバネットワークである。
【００８４】
また、結合・分配機器ＣＤＥは、バス又は光ファイバネットワークを介して、基地局中継器ＢＳＲＥＰＣ及び基地局ＢＳＥにも接続される。
【００８５】
一変形形態では、結合・分配機器ＣＤＥと基地局中継器ＢＳＲＥＰＣとの間の接続は、移動する乗物の動きに対して頑強(robust)な高データレート無線リンクである。
【００８６】
基地局ＢＳＥ及びＢＳ１〜ＢＳＫは、ネットワーク５５を介して、互いに接続される。ネットワーク５５は、例として且つ非限定的には、専用有線ネットワーク、公衆交換網のような公衆ネットワークの一部、ＩＰベースネットワーク、無線ネットワーク、非同期転送モードネットワーク、又は上述したネットワークの組合せである。
【００８７】
アクセスゲートウェイもまたネットワーク５５に接続される。
【００８８】
図３は、本発明による、エレベータキャビン内に含まれるセルを管理する基地局のブロック図である。
【００８９】
基地局ＢＳＥは、例えば、バス３０１によって互いに接続されるコンポーネントと、基地局ＢＳＥに結合・分配機器ＣＤＥが含まれる場合には、図５に開示するようなプログラムによって制御されるプロセッサ３００とに基づくアーキテクチャを有する。
【００９０】
ここで、基地局ＢＳＥは、一変形形態では、後に開示するようなプロセッサ３００によって実行される動作と同じ動作を実行する１つ又は幾つかの専用集積回路の形態で実装されることに留意されたい。
【００９１】
バス３０１は、プロセッサ３００を、リードオンリメモリＲＯＭ３０２、ランダムアクセスメモリＲＡＭ３０３、ネットワークインタフェース３０４、送信モジュール３０５、及び受信モジュール３０６に接続する。
【００９２】
送信モジュール３０５は、セル１５ｅ内において移動端末３０に転送されるベースバンドディジタル信号を転送する。受信モジュール３０６は、セル１５ｅ内に位置する移動端末３０からベースバンドディジタル信号を受信する。
【００９３】
一変形形態では、送信モジュール３０５は、セル１５ｅ内において移動端末３０に転送されるアナログ無線周波数信号又は光信号を転送する。受信モジュール３０６は、セル１５ｅ内に位置する移動端末３０からアナログ無線周波数信号又は光信号を受信する。
【００９４】
図４は、本発明による結合・分配機器のブロック図である。
【００９５】
結合・分配機器ＣＤＥは、セル１５１〜１５Ｋ内に位置する移動端末３０によってそれぞれの基地局ＢＳ１〜ＢＳＫに転送されるアップリンク信号を、基地局中継器ＢＳＲＥＰ１〜ＢＳＲＥＰＫから受信する。移動端末３０によって転送され、基地局中継器ＢＳＲＥＰ１〜ＢＳＲＥＰＫから受信されるアップリンク信号を、図４ではＵＬＢＳ１−Ｋとして示す。
【００９６】
結合・分配機器ＣＤＥは、基地局ＢＳ１〜ＢＳＫによりそれらの管理するそれぞれのセル１５１〜１５Ｋ内に位置する移動端末３０に転送されるダウンリンク信号を、移動端末中継器ＭＴＲＥＰ１〜ＭＴＲＥＰＫから受信する。基地局ＢＳ１〜ＢＳＫによって転送され且つ移動中継器ＭＴＲＥＰ１〜ＭＴＲＥＰＫから受信されるダウンリンク信号を、図４ではＤＬＢＳ１−Ｋとして示す。
【００９７】
結合・分配機器ＣＤＥは、基地局ＢＳＥにより送信モジュールを介して転送されるベースバンドダウンリンク信号を、基地局ＢＳＥから受信する。これら信号を図４ではＴＸとして示す。
【００９８】
結合・分配機器ＣＤＥは、セル１５ｅ’内に位置する移動端末３０によって基地局ＢＳＥに転送されるアップリンク信号を、基地局中継器ＢＳＲＥＰＣから受信する。
【００９９】
信号ＵＬＢＳ１−Ｋは、    乗算器ＭＢ１〜ＭＢＫにより、係数ｃｏｅｆｆＢ１〜ｃｏｅｆｆＢＫを使用してそれぞれ乗算される。ここで、係数ｃｏｅｆｆＢ１〜ｃｏｅｆｆＢＫは、結合・分配機器ＣＤＥによって、出発階及び／又は目的階に従って、且つ／又はドアが開いているか否かという事実に従って、決定される。
【０１００】
乗算された信号は、加算器Σ１によって、セル１５ｅ’内に位置する移動端末３０によって基地局に転送され基地局中継器ＢＳＲＥＰＣから受信されるアップリンク信号と共に合計される。
【０１０１】
加算器Σ１によって合計された信号は、基地局ＢＳＥの受信モジュール３０６に転送される。
【０１０２】
信号ＤＬＢＳ１−Ｋは、乗算器ＭＥ１〜ＭＥＫにより、係数ｃｏｅｆｆＥ１〜ｃｏｅｆｆＥＫを使用してそれぞれ乗算される。ここで、係数ｃｏｅｆｆＥ１〜ｃｏｅｆｆＥＫは、結合・分配機器ＣＤＥによって、出発階及び／又は目的階に従って、且つ／又はドアが開いているか否かという事実に従って、決定される。
【０１０３】
乗算された信号は、加算器Σ２によって合計される。合計された信号は、増幅器Ａ２によって増幅される。増幅器Ａ２によって増幅された信号は、加算器Σ３によってＴＸ信号と合計され、基地局中継器ＢＳＲＥＰＣに転送される。
【０１０４】
ＴＸ信号はＫ個の信号に複製され、各複製された信号は、乗算器ＭＴ１〜ＭＴＫにより、
係数ｃｏｅｆｆＴ１〜ｃｏｅｆｆＴＫを使用して乗算される。ここで、係数ｃｏｅｆｆＴ１〜ｃｏｅｆｆＴＫは、結合・分配機器ＣＤＥによって、目的階に従って、且つ／又はドアが開いているか否かという事実に従って、決定される。各乗算された信号は、それぞれ基地局中継器ＢＳＲＥＰｋ（ｋ＝１〜Ｋ）に転送される。
【０１０５】
セル１５ｅ’内に位置する移動端末３０によって転送される信号を表し、基地局中継器ＢＳＲＥＰＣによって転送される信号は、増幅器Ａ１によって増幅される。増幅器Ａ１によって増幅された信号は、Ｋ個の信号に複製され、各複製された信号は、乗算器ＭＣ１〜ＭＣＫにより、係数ｃｏｅｆｆＣ１〜ｃｏｅｆｆＣＫを使用してそれぞれ乗算される。ここで、係数ｃｏｅｆｆＣ１〜ｃｏｅｆｆＣＫは、結合・分配機器ＣＤＥによって、目的階に従って、且つ／又はドアが開いているか否かという事実に従って、決定される。各乗算された信号は、それぞれ移動端末中継器ＭＳＲＥＰｋ（ｋ＝１〜Ｋ）に転送される。
【０１０６】
基地局ＢＳＥに結合・分配機器ＣＤＥが含まれていない場合には、結合・分配機器ＣＤＥは、バス４０１によって互いに接続されるコンポーネントと、図５に開示するようなプログラムによって制御されるプロセッサ４００とをさらに備える。
【０１０７】
バス４０１は、プロセッサ４００を、リードオンリメモリＲＯＭ４０２、ランダムアクセスメモリＲＡＭ４０３、及びエレベータインタフェース４０５に接続する。
【０１０８】
プロセッサ４００は、エレベータインタフェース４０５を介して、エレベータコントローラ２０から、エレベータキャビンＥＬＥＶの目的階Ｆｌｉを示すメッセージを受信する。一実施形態では、メッセージは、目的階Ｆｌの好ましくは順序付きリストを含む。
【０１０９】
また、プロセッサ４００は、エレベータインタフェース４０５を介して、エレベータキャビンＥＬＥＶが移動しているか否か、及びエレベータのドアが開いている且つ／又は閉じているかを示すメッセージも受信する。
【０１１０】
図５ａは、本発明による移動端末中継器のブロック図である。
【０１１１】
各移動端末中継器ＭＴＲＥＰ１〜ＭＴＲＥＰＫは、転送されるデータをアナログ信号に変換するデジタル−アナログ変換器（ＤＡＣ）５００、アナログ信号を搬送周波数Ｆ１により乗算し適当なフィルタリングで成形する周波数アップコンバータ５０１、高出力増幅器（ＨＰＡ）５０２、及び搬送周波数Ｆ１によって乗算されアンテナ５０４を介して転送されるアナログ信号とアンテナ５０４によって受信される信号とをデュプレクスするデュプレクサ５０３備える。
【０１１２】
各移動端末中継器ＭＴＲＥＰ１〜ＭＴＲＥＰＫはまた、低雑音増幅器（ＬＮＡ）５０５、アンテナ５０４によって受信された信号を適当な周波数帯域でフィルタリングしアンテナ５０４によって受信された信号を搬送周波数Ｆ２によって乗算する周波数ダウンコンバータ５０６、自動利得コントローラ（ＡＧＣ）５０７、及びアンテナ５０４によって受信され周波数ダウンコンバートされた信号をデジタル形式に変換するアナログ−デジタル変換器（ＡＤＣ）５０８を備える。
【０１１３】
一変形形態では、移動端末中継器ＭＴＲＥＰ１〜ＭＴＲＥＰＫの入力信号は、アナログＲＦ信号である。その変形形態によれば、モジュール５００、５０１、５０４及び５０６は取り除かれる。
【０１１４】
図５ｂは、本発明による基地局中継器のブロック図である。
【０１１５】
各基地局中継器ＢＳＲＥＰ１〜ＢＳＲＥＰＫ及びＢＳＲＥＰＣは、転送されるデータをアナログ信号に変換するデジタル−アナログ変換器（ＤＡＣ）５５０、アナログ信号を搬送周波数Ｆ２によって乗算し適当なフィルタリングで成形する周波数アップコンバータ５５１、高出力増幅器５５２、及び搬送周波数Ｆ２によって乗算されアンテナ５５４を介して転送されるアナログ信号とアンテナ５５４によって受信される信号とをデュプレクスするデュプレクサ５５３を備える。
【０１１６】
また、各基地局中継器ＢＳＲＥＰ１〜ＢＳＲＥＰＫ及びＢＳＲＥＰＣは、低雑音増幅器５５５、アンテナ５５４によって受信された信号を適当な周波数帯域でフィルタリングしアンテナ５５４によって受信された信号を搬送周波数Ｆ１によって乗算する周波数ダウンコンバータ５５６、自動利得コントローラ（ＡＧＣ）５５７、及びアンテナ５５４によって受信され周波数ダウンコンバートされた信号をデジタル形式に変換するアナログ−デジタル変換器５５８を備える。
【０１１７】
一変形形態では、基地局中継器ＢＳＲＥＰ１〜ＢＳＲＥＰＫ及びＢＳＲＥＰＣの入力信号はアナログＲＦ信号である。その変形形態によれば、モジュール５５０、５５１、５５４、及び５５６は取り除かれる。
【０１１８】
図６は、本発明によって実行されるアルゴリズムを表す。
【０１１９】
本アルゴリズムは、より正確には、結合・分配機器ＣＤＥのプロセッサ４００によって、又は基地局ＢＳＥに結合・分配機器ＣＤＥが含まれる場合には基地局ＢＳＥのプロセッサ３００によって、実行される。
【０１２０】
本アルゴリズムを、結合・分配機器ＣＤＥのプロセッサ４００によって実行される場合で説明する。
【０１２１】
ステップＳ６００において、プロセッサ４００は、エレベータインタフェース４０５を介して、エレベータコントローラ２０によって転送される、エレベータキャビンＥＬＥＶの目的階を示すメッセージの受信を検出する。
【０１２２】
次のステップＳ６０１において、プロセッサ４００は、乗算器ＭＢ１〜ＭＢＫ、ＭＴ１〜ＭＴＫ、ＭＣ１〜ＭＣＫ、及びＭＥ１〜ＭＥＫによってそれぞれ使用される係数ｃｏｅｆｆＢ１〜ｃｏｅｆｆＢＫ、ｃｏｅｆｆＴ１〜ｃｏｅｆｆＴＫ、ｃｏｅｆｆＣ１〜ｃｏｅｆｆＣＫ、及びｃｏｅｆｆＥ１〜ｃｏｅｆｆＥＫをセットする。
【０１２３】
実施形態の第１の例によれば、プロセッサ４００は、乗算器ＭＢ１〜ＭＢＫ、ＭＴ１〜ＭＴＫ、ＭＣ１〜ＭＣＫ、及びＭＥ１〜ＭＥＫによってそれぞれ使用される係数ｃｏｅｆｆＢ１〜ｃｏｅｆｆＢＫ、ｃｏｅｆｆＴ１〜ｃｏｅｆｆＴＫ、ｃｏｅｆｆＣ１〜ｃｏｅｆｆＣＫ、及びｃｏｅｆｆＥ１〜ｃｏｅｆｆＥＫを値１にセットする。
【０１２４】
実施形態の第２の例によれば、プロセッサ４００は、乗算器ＭＢ１〜ＭＢＫ、ＭＣ１〜ＭＣＫによってそれぞれ使用される係数ｃｏｅｆｆＢ１〜ｃｏｅｆｆＢＫ、ｃｏｅｆｆＣ１〜ｃｏｅｆｆＣＫを値１にセットし、乗算器ＭＴ１〜ＭＴＫ及びＭＥ１〜ＭＥＫによってそれぞれ使用される係数ｃｏｅｆｆＴ１〜ｃｏｅｆｆＴＫ及びｃｏｅｆｆＥ１〜ｃｏｅｆｆＥＫをヌル値にセットする。
【０１２５】
実施形態の第３の例によれば、プロセッサ４００は、乗算器ＭＢ１〜ＭＢＫ、ＭＣ１〜ＭＣＫによってそれぞれ使用される係数ｃｏｅｆｆＢ１〜ｃｏｅｆｆＢＫ、ｃｏｅｆｆＣ１〜ｃｏｅｆｆＣＫをヌル値にセットし、乗算器ＭＴ１〜ＭＴＫ及びＭＥ１〜ＭＥＫによってそれぞれ使用される係数ｃｏｅｆｆＴ１〜ｃｏｅｆｆＴＫ及びｃｏｅｆｆＥ１〜ｃｏｅｆｆＥＫを値１にセットする。
【０１２６】
実施形態の第４の例によれば、目的階が階Ｆｌｋである場合、プロセッサ４００は、それぞれ乗算器ＭＢ１〜ＭＢｋ−１、ＭＢｋ＋１〜ＭＢＫによって使用される係数ｃｏｅｆｆＢ１〜ｃｏｅｆｆＢｋ−１、ｃｏｅｆｆＢｋ＋１〜ｃｏｅｆｆＢＫをヌル値にセットし、乗算器ＭＢｋによって使用される係数ｃｏｅｆｆＢｋを値１にセットする。また、乗算器ＭＴ１〜ＭＴＫ−１及びＭＴＫ＋１〜ＭＴＫによってそれぞれ使用される係数ｃｏｅｆｆＴ１〜ｃｏｅｆｆＴｋ−１、ｃｏｅｆｆＴｋ＋１〜ｃｏｅｆｆＴＫをヌル値にセットし、乗算器ＭＴｋによって使用される係数ｃｏｅｆｆＴｋを値１にセットする。また、乗算器ＭＣ１〜ＭＣｋ−１、ＭＣｋ＋１〜ＭＣＫによってそれぞれ使用される係数ｃｏｅｆｆＣ１〜ｃｏｅｆｆＣｋ−１、ｃｏｅｆｆＣｋ＋１〜ｃｏｅｆｆＣＫをヌル値にセットし、乗算器ＭＣｋによって使用される係数ｃｏｅｆｆＣｋを値１にセットする。また、乗算器ＭＥ１〜ＭＥｋ−１、ＭＥｋ＋１〜ＭＥＫによってそれぞれ使用される係数ｃｏｅｆｆＥ１〜ｃｏｅｆｆＥｋ−１、ｃｏｅｆｆＥｋ＋１〜ｃｏｅｆｆＥＫをヌル値にセットし、乗算器ＭＥｋによって使用される係数ｃｏｅｆｆＥｋを値１にセットする。
【０１２７】
実施形態の第５の例によれば、目的階が階Ｆｌｋである場合、プロセッサ４００は、乗算器ＭＢｋ及びＭＣｋによってそれぞれ使用される係数ｃｏｅｆｆＢｋ及びｃｏｅｆｆＣｋを値１にセットし、他の係数をヌル値にセットする。
【０１２８】
実施形態の第６の例によれば、目的階が階Ｆｌｋである場合、プロセッサ４００は、乗算器ＭＴｋ及びＭＥｋによってそれぞれ使用される係数ｃｏｅｆｆＴｋ及びｃｏｅｆｆＥｋを値１にセットし、他の係数をヌル値にセットする。
【０１２９】
本発明のさまざまな実施形態において、乗算器ＭＢ１〜ＭＢｋ、ＭＴ１〜ＭＴＫ、ＭＣ１〜ＭＣＫ、及びＭＥ１〜ＭＥＫによってそれぞれ使用される係数ｃｏｅｆｆＢ１〜ｃｏｅｆｆＢＫ、ｃｏｅｆｆＴ１〜ｃｏｅｆｆＴＫ、ｃｏｅｆｆＣ１〜ｃｏｅｆｆＣＫ、及びｃｏｅｆｆＥ１〜ｃｏｅｆｆＥＫの値は、累進的に所定値まで変更される。
【０１３０】
本発明の別の変形形態では、ヌル値を有する係数を使用する乗算器からもたらされる信号は、通信ネットワーク５０を介して送信されない。
【０１３１】
次のステップＳ６０２において、プロセッサ４００は、エレベータインタフェース４０５を介して、キャビンエレベータＥＬＥＶのドアが開いていることを示すメッセージがエレベータコントローラ２０から受信されるか否かを判定する。
【０１３２】
キャビンエレベータＥＬＥＶのドアが開いている場合、プロセッサ４００はステップＳ６０３に進み、そうでない場合、プロセッサ４００はステップＳ６０２に戻る。
【０１３３】
ステップＳ６０２において、プロセッサ３００は、目的階Ｆｌｋに関連する乗算器ＭＢｋ、ＭＴｋ、ＭＣｋ、及びＭＥｋによってそれぞれ使用される係数ｃｏｅｆｆＢｋ、ｃｏｅｆｆＴｋ、ｃｏｅｆｆＣｋ及びｃｏｅｆｆＥｋをすべてヌル値にリセットする。ここで、一変形形態では、ドアが開いている間、プロセッサ４００は、係数の値を累進的にヌル値まで低減させることに留意されたい。さらに別の変形形態では、乗算器ＭＢｋ、ＭＴｋ、ＭＣｋ、及びＭＥｋによってそれぞれ使用される係数ｃｏｅｆｆＢｋ、ｃｏｅｆｆＴｋ、ｃｏｅｆｆＣｋ、及びｃｏｅｆｆＥｋは、変更されず、常に値１にセットされる。
【０１３４】
ドアが開いている限り、中継器ＭＴＲＥＰｋ、ＢＳＲＥＰｋ、及びＢＳＲＥＰＣによって転送される信号は、信号ＵＬＢＳ１−Ｋ、ＤＬＢＳＥ、ＵＬ１５’ｅ、及びＤＬＢＳ１−Ｋによって中継される必要はなく、これらの信号は、基地局中継器ＢＳＲＥＰＣによって直接受信されるか又は転送される。
【０１３５】
次のステップＳ４０２において、プロセッサ４００は、エレベータインタフェース４０５を介して、キャビンエレベータＥＬＥＶのドアが閉じていることを示すメッセージがエレベータコントローラ２０から受信されるか否かを判定する。  
【０１３６】
キャビンエレベータＥＬＥＶのドアが閉じている場合、プロセッサ４００はステップＳ６０５に進み、そうでない場合、プロセッサ４００はステップＳ６０４に戻る。
【０１３７】
ステップＳ６０５において、プロセッサ３００は、乗算器ＭＢｋ、ＭＴｋ、ＭＣｋ、及びＭＥｋによって使用される係数ｃｏｅｆｆＢｋ、ｃｏｅｆｆＴｋ、ｃｏｅｆｆＣｋ、及びｃｏｅｆｆＥｋをすべて、ステップＳ６０１において先にセットされた値にセットする。ここで、一変形形態では、ドアが閉じている間又はドアが閉じた後、プロセッサ４００は、係数の値を、ステップＳ６０１において先にセットされた値に累進的に変更することに留意されたい。さらに別の変形形態では、乗算器ＭＢｋ、ＭＴｋ、ＭＣｋ、及びＭＥｋによってそれぞれ使用される係数ｃｏｅｆｆＢｋ、ｃｏｅｆｆＴｋ、ｃｏｅｆｆＣｋ、及びｃｏｅｆｆＥｋは変更されず、常に値１にセットされる。
【０１３８】
その後、プロセッサ４００はステップＳ６００に戻る。
【０１３９】
当然ながら、本発明の範囲から逸脱することなく、上述した本発明の実施形態に対し多くの変更を行うことができる。
【図面の簡単な説明】
【０１４０】
【図１】本発明による、移動する乗物用の無線通信システムを備える建物の概観を表す図である。
【図２】移動する乗物用の無線通信システムの異なる装置間の相互接続を示すブロック図である。
【図３】本発明による、エレベータキャビンに含まれるセルを管理する基地局のブロック図である。
【図４】本発明による、結合・分配機器のブロック図である。
【図５ａ】本発明による、移動端末中継器のブロック図である。
【図５ｂ】本発明による、基地局中継器のブロック図である。
【図６】本発明によって実行されるアルゴリズムを表す図である。
【図１】
2008252873.tif 000003
【図２】
2008252873.tif 000004
【図３】
2008252873.tif 000005
【図４】
2008252873.tif 000006
【図５ａ】
2008252873.tif 000007
【図５ｂ】
2008252873.tif 000008
【図６】
2008252873.tif 000009
【外国語明細書】
2008252873.tif 000010
2008252873.tif 000011
2008252873.tif 000012
2008252873.tif 000013
2008252873.tif 000014
2008252873.tif 000015
2008252873.tif 000016
2008252873.tif 000017
2008252873.tif 000018
2008252873.tif 000019
2008252873.tif 000020
2008252873.tif 000021
2008252873.tif 000022
2008252873.tif 000023
2008252873.tif 000024
2008252873.tif 000025
2008252873.tif 000026
2008252873.tif 000027
2008252873.tif 000028
2008252873.tif 000029
2008252873.tif 000030
2008252873.tif 000031
2008252873.tif 000032
2008252873.tif 000033
2008252873.tif 000034
2008252873.tif 000035
2008252873.tif 000036
2008252873.tif 000037
2008252873.tif 000038